(57)【要約】【課題】可動役物を上規定位置から落下させた際、下規定位置の落下点で確実に停止し、かつ静止させ、機構の耐久性の確保と共に遊技者の興趣を損なわせない遊技機の可動役物の移動機構を提供する。【解決手段】遊技機内に配置されて遊技盤面上で演出動作する可動役物３と、可動役物を支持するフレーム１と、フレームに配設された可動役物の落下ガイド用のガイド構成体２と、ガイド構成体に併設されてフレーム内に上下方向に延長し、かつ駆動源と係合した支持シャフト４１と、支持シャフトに移動可能に支持され、かつ可動役物と連結して可動役物を上方へ搬送する搬送手段４と、搬送手段と連結した可動役物を上規定位置で解放する解放機構５と、落下した可動役物を下規定位置で固定する固定機構６と、搬送手段の下規定位置への到達によって固定機構の固定状態を解除する解除機構４７、６１ｃと、から構成する。【選択図】  図１
2020174774.tif 000002
【特許請求の範囲】
【請求項１】
遊技機内に配置されて遊技盤面上で演出動作する可動役物と、
該可動役物を支持するフレームと、
該フレームに配設されて前記可動役物の落下をガイドするガイド構成体と、
該ガイド構成体に併設されて前記フレーム内に上下方向に延長し、かつ駆動源と係合した支持シャフトと、
該支持シャフトに移動可能に支持され、かつ前記可動役物と適宜に連結して該可動役物を上方へ搬送する搬送手段と、
該搬送手段と前記ガイド構成体との連係によって前記連結した可動役物を上規定位置で解放する解放機構と、
該解放機構の作動により落下した前記可動役物を下規定位置で固定する固定機構と、
前記搬送手段の下規定位置への到達によって前記固定機構による固定状態を解除する解除機構と、
から成ることを特徴とした遊技機の可動役物の移動機構。
【請求項２】
前記支持シャフトの連結による可動役物の上下方向の移動が、垂直線上又は傾斜線上の移動であることを特徴とした請求項１記載の遊技機の可動役物の移動機構。
【発明の詳細な説明】
【技術分野】
【０００１】
本願に係る発明（以下、「本発明」という。）は、パチンコ機、スロットマシン等の遊技機内の遊技盤面上に演出体として取り付けた装飾物（以下、「役物」と称する。）の移動機構に関する。
【背景技術】
【０００２】
従来の遊技機には、弾球の入賞により遊技盤面上で趣向的な動きを行う役物（以下、「可動役物」と称する。）を配置して、これらを機械的な移動機構で適時の落下や特異な動きをさせているものがある。
【０００３】
これらの移動機構の一つとして、役物を上下方向に移動又は落下させる機構がある。このような機構としては、例えば、特許文献１で開示されているように、遊技領域内に昇降自在に設けた可動演出体を、駆動機構で上位の所定位置まで押し上げて固定機構で保持して置き、適時にこれを解除して下位の所定位置まで自重で落下させるものがある。
【０００４】
また、落下だけではなく、その他の動きを加えたものとして、例えば、特許文献２で開示しているように、設定した上下距離間にスライド可能に保持した装飾体を、駆動モータを用いて所定高さの位置で上下に揺動又は振動させたり、落下カムの作動によって所定の高さから落下させたりするように構成したものがある。この落下させた装飾体を、別に設置した上昇用の駆動モータを駆動源としてスライダ上のラック部材に支持されて上昇移動させて行くものである。
【先行技術文献】
【特許文献】
【０００５】
【特許文献１】特開２０１３−１１６１７８号公報
【特許文献２】特開２０１５−０６６１８４号公報
【発明の概要】
【発明が解決しようとする課題】
【０００６】
しかし、上記特許文献１の開示技術は、可動演出体（「可動役物」と同義。）が上位の位置から落下するが、その可動演出体はラック＆ピニオン手段で昇降する駆動体の上端側に当接して停止させているものである。このとき、当該可動演出体は、片持ち状態であることが多いため、当接停止時に揺れや弾みによる上下動の現象が見られた。かかる現象は機構の耐久性欠如ばかりか遊技者の興趣を削ぐものであるため、役物の演出上好ましい現象ではなく課題の一つとなっていた。
【０００７】
また、上記特許文献２の開示技術においても、装飾体（「役物」と同義。）は落下後に昇降するラック部材の上端側に当接して停止するため、引用文献１と同様に上下振動が見られた。
【０００８】
そこで、本発明は、上記の課題に鑑み、可動役物を設定した上規定位置から落下させた際に、下規定位置の落下点において跳ね返ることなく確実に停止し、かつ静止させ、機構の耐久性の確保と共に遊技者の興趣を損なわせないことを目的とした遊技機の可動役物の移動機構を提供するものである。
【課題を解決するための手段】
【０００９】
上記課題を解決するための本発明に係る遊技機の可動役物の移動機構は、以下のように構成している。
すなわち、遊技機内に配置されて遊技盤面上で演出動作する可動役物と、該可動役物を支持するフレームと、該フレームに配設されて前記可動役物の落下をガイドするガイド構成体と、該ガイド構成体に併設されて前記フレーム内に上下方向に延長し、かつ駆動源と係合した支持シャフトと、該支持シャフトに移動可能に支持され、かつ前記可動役物と適宜に連結して該可動役物を上方へ搬送する搬送手段と、該搬送手段と前記ガイド構成体との連係によって前記連結した可動役物を上規定位置で解放する解放機構と、該解放機構の作動により落下した前記可動役物を下規定位置で固定する固定機構と、前記搬送手段の下規定位置への到達によって前記固定機構による固定状態を解除する解除機構と、から構成している。
【００１０】
また、前記可動役物の移動方向は、通常は垂直な直線上の移動であるが、これに限らず演出の仕様より勾配を設けた傾斜線上を移動させる構成であっても良い。
【発明の効果】
【００１１】
以上の構成により、搬送手段によって所定の上規定位置まで搬送された可動役物は、ガイド構成体と連係した搬送手段の作動より、その連結が解放されて自重によって落下して（又は傾斜下降して）、所定の下規定位置で当接体に当接する。この時、当接体が緩衝材で形成されているために弾みや揺れが生じるが、固定機構により、このような弾みや揺れを無くして停止かつ静止させることができる。
【００１２】
また、可動役物が落下した後に、支持シャフトの上位位置に残留した搬送手段は、支持シャフトの駆動作動によって降下移動させると、当接体への当接近傍位置で解除機構が作動して前記固定機構を解除することができる。そして、この作動に伴って再び可動役物と連結する。ここで、支持シャフトを駆動させて、搬送手段と共に可動役物を上方へ移動させることができる。
【図面の簡単な説明】
【００１３】
【図１】本発明にかかる実施形態（以下、「本実施例」という。）の分解組立斜視図である。
【図２】本実施例の全体斜視図である。
【図３】本実施例の解放機構と搬送手段との関わりを示した組立斜視図である。
【図４】本実施例の解放機構の作動を示した斜視図であり、（Ａ）は解放前、（Ｂ）は解放後の状態を示す斜視図である。
【図５】本実施例の搬送手段を示す斜視図である。
【図６】本実施例の移動行程を示す模式図であって、（Ａ）はガイド構成体と搬送手段との関係を示す平面図、（Ｂ）は（Ａ）のＡ−Ａ線断面図である。
【図７】本実施例の移動行程を示す模式図であって、（Ａ）はガイド構成体と搬送手段との関係を示す平面図、（Ｂ）は（Ａ）のＢ−Ｂ線断面図である。
【図８】本実施例の移動行程を示す模式図であって、（Ａ）はガイド構成体と搬送手段との関係を示す平面図、（Ｂ）は（Ａ）のＣ−Ｃ線断面図である。
【図９】本実施例の移動行程を示す模式図であって、（Ａ）はガイド構成体と搬送手段との関係を示す平面図、（Ｂ）は（Ａ）のＤ−Ｄ線断面図である。
【図１０】本実施例の移動行程を示す模式図であって、（Ａ）はガイド構成体と搬送手段との関係を示す平面図、（Ｂ）は（Ａ）のＥ−Ｅ線断面図である。
【図１１】本実施例の移動行程を示す模式図であって、（Ａ）はガイド構成体を示す平面図、（Ｂ）は（Ａ）のＦ−Ｆ線断面図である。
【図１２】本実施例の固定機構の作動を示す斜視図（Ａ）、（Ｂ）である。
【図１３】本実施例の解除機構の作動を示す斜視図（Ａ）、（Ｂ）である。
【図１４】本実施例の固定機構と解除機構の一連の作動を示す模式図（Ａ）、（Ｂ）、（Ｃ）、（Ｄ）、（Ｅ）である。
【図１５】固定機構と解除機構との他の実施例を示す斜視図（Ａ）と、固定機構の作動を示す模式図（Ｂ）である。
【発明を実施するための形態】
【００１４】
以下に、本発明の一例である本実施例Ｍについて図面に基づいて説明する。なお、以下の説明において、図１、２に表記した矢印Ｆｒ方向から見た面を正面（ｆｒｏｎｔ）として用いる。
【００１５】
（Ａ）フレームについて
図示記号１はフレームであり、遊技機（図面省略。）内に配置されて、遊技盤面（図面省略。）上で演出動作する可動役物３を保持するものである。該フレーム１は、正面視（Ｆｒ矢視）において縦方向（上下方向）に開口した溝状の凹部開口空間を確保して、正面視で左右に分割した左フレーム枠１１と右フレーム枠１２とから構成している。
【００１６】
左フレーム枠１１には、正面視右側方向に開口した断面コ字状の溝延長からなるスライドレール１３を配設している。このスライドレール１３には溝延長に倣って摺動する摺動コマ１４を配置している。摺動コマ１４には可動役物３の支持板３１が取り付けられ、可動役物３の移動工程を規定している。また、左フレーム枠１１の正面下端部には、後述する固定機構６として機能する係止レバー６１を、付勢力をもって軸支している。
【００１７】
対する右フレーム枠１２の凹部開口空間内の底部には、後述する解放機構５の倣いレバー５１の下端部を受止める緩衝体１５を配設している。この緩衝体１５は、衝撃力の緩和可能な弾性材で形成している。
【００１８】
前記スライドレール１３の上端位置付近のフレーム１には、検知センサ１６を設置している。これにより、支持板３１の上端縁に突出形成した検知片３４を検知して、可動役物３の上端位置への到達を検知している。
【００１９】
また、右フレーム枠１２の正面視右側に立設した壁面には、後述する搬送手段４から突設させた摺動突片４６が進入して摺動する摺動溝１７を形成している。摺動溝１７は、後述の支持シャフト４１に平行で略同長の溝延長を成している。
【００２０】
（Ｂ）ガイド構成体について
図示記号２はガイド構成体である。ガイド構成体２は、所定の上端位置（上規定位置）まで上昇して来た可動役物３の落下を起動させるガイドとなるものである。
【００２１】
ガイド構成体２は、前記フレーム１の前記凹部開口空間の正面視奥部に配置している。その構成は、上下方向に延びる所定の溝長をもって正面に開口した主ガイド溝２１と、これより短い長さで右側に所定間隔で平行に配置した副ガイド溝２２とから成る。そして、主ガイド溝２１の上端部付近と下端部付近には、副ガイド溝２２と連続した溝から構成した分岐溝２３と合流溝２４とを形成している。この分岐溝２３は、主ガイド溝２１の上端部付近から正面視右斜め下方の溝路をもって副ガイド溝２２に接続している。また合流溝２４は、副ガイド溝２２の下端部から正面左斜め下方の溝路をもって主ガイド溝２１に接続している。
【００２２】
さらに、前記分岐溝２３には、片持ち軸支によって所定の回転角で揺動する分岐ブレード２３ｂを配設している。この分岐ブレード２３ｂは、主ガイド溝２１の上端付近から副ガイド溝２２に導くよう主ガイド溝側に傾斜した状態を初期状態として復帰する付勢力をもって軸支している。この付勢力は、分岐ブレード２３ｂの回動軸にトーションバネ等のバネ手段を取り付けて行っている。
【００２３】
一方、合流溝２４は、上記分岐ブレード２３ｂと同様に片持ち軸支によって所定の回転角で揺動する合流ブレード２４ｂを配設している。この合流ブレード２４ｂは、副ガイド溝２２を閉じた状態を初期状態として復帰する付勢力をもって軸支している。この付勢力の付加は、上記分岐ブレード２３ｂと同様にトーションバネ等のバネ手段を取り付けて行っている。
【００２４】
（Ｃ）可動役物について
次に、可動役物３は、種々趣向にデザインされた立体形状（本実施例の図面では矩形板状）を成し、遊技機内の遊技盤面上で演出動作するものである。図面上では右側又は左側が遊技盤面となる。
【００２５】
この可動役物３は、上記ガイド構成体側へ向かって延びる平板状の支持板３１が一体的に取り付けられている。そして、支持板３が前記摺動コマ１４に取り付けられ、この取り付け状態によって可動役物３は左フレーム１１に片持ち状態で上下動可能となっている。この支持板３１には、可動役物３と後述する搬送手段４との連結を解放するための解放機構５を付属させている。
【００２６】
また、支持板３１の先端側（前記主ガイド溝側）は、その一部を正面視で右側へ直角に屈曲させて、前記ガイド構成体２と対面させた作動板３２を形成している。加えて、支持板３１の下端縁部付近には、矩形状に開口した係合口３３を形成している。この係合口３３の下辺縁部３３ａには、後述する固定機構６の係止レバー６１の引っ掛け部６１ａが係合する。さらに、支持板３１の上端縁部には、前記光検知式の検知センサ１６と反応する検知片３４を突片状に形成している。
【００２７】
一方、前記作動板３２には、後述する解放機構５を作動させるための倣いレバー５１を片持ち揺動可能に軸支している。その揺動面は前記支持板３１と垂直面を成している。また、倣いレバー５１の上端部（又は揺動先端部）には、前記ガイド構成体側に突出した突起ローラ５２を取り付けている。さらに、作動板３２には、この突起ローラ５２が、正面右側への回動を許容するための切欠き部３５を形成している。
【００２８】
（Ｄ）搬送手段について
図示記号４は搬送手段を示す。搬送手段４は、フレーム内のガイド構成体２に併設されると共に、可動役物３を上方へ移動させる手段である。この構成は、リードスクリューを用いて立設状に配置した支持シャフト４１に上下動可能にして螺合状態で支持されている。ここで、支持シャフト４１は、ギア４２を介して駆動源となるモータ４３が連結されている。この構成により、モータ４３の正逆転力を支持シャフト４１にギア伝達し、搬送手段４を上昇又は下降させている。
【００２９】
また、この搬送手段４には、立設配置した先端部がガイド構成体２の方向（正面奥の方向）に向かって揺動する押上レバー４４を配置している。この立設した押上レバー４４はその先端部が搬送手段４からガイド構成体側に露出した状態を初期状態とし、かつ初期状態に復帰させる付勢力を付帯している。
【００３０】
上記押上レバー４４の先端上面と離隔対向した位置には、抑えレバー４５を配置している。この抑えレバー４５は、片持ち軸支されており正面奥側に延出した先端部が前記押上レバー４４の先端上面と所定間隔で離隔した状態を初期状態とし、かつ初期状態に復帰させる付勢力を有している。
【００３１】
かかる構成により、前記押上レバー４４と抑えレバー４５との間で対象物を挟持できる把持力を発生させている。この把持力が、後述の解放機構５の倣いレバー５１の狭持部５１ｂでの把持力となる。別言すると、上方から移動してきた搬送手段４の押上レバー４４が、倣いレバー５１の挟持部５１ｂを乗り越えて、抑えレバー４５の先端部と協働して挟持部５１ｂを把持することとなり、これにより搬送手段４と可動役物３とが連結状態となる。
【００３２】
加えて、搬送手段４には摺動突片４６が配設されている。摺動突片４６は、上述したように右フレーム枠１２に取り付けた前記摺動溝１７の溝内に進入して移動させるものである。この構成により、螺合した支持シャフト４１の軸回転による搬送手段４の共回りが抑止されて、支持シャフト４１に沿った昇降移動が可能となっている。
【００３３】
（Ｅ）解放機構について
次に、可動役物３の落下を起動させる解放機構５について説明する。解放機構５は、上記作動板３２に取り付けた倣いレバー５１が主要構成要素となる。この倣いレバー５１は、片持ち揺動可能にして、略垂直に立設した状態を初期状態とし、この初期状態に復帰する付勢力をもって下端部５１ａで軸支されている。また、正面視（Ｆｒ矢視）で右凸状に湾曲した帯板状を成して、その上端部に肉厚の挟持部５１ｂを形成している。また、挟持部５１ｂからはガイド構成体２に向かって突出した状態で突起ローラ５２を取り付けている。これにより、倣いレバー５１は突起ローラ５２の主ガイド溝内及び副ガイド溝内の倣い移動に従って揺動（正面視右側回動）することとなる。
【００３４】
なお、突起ローラ５２は、上記仕様に限定するものではない。例えば、滑らかに倣い移動ができる物であれば良く、滑動する球体や柱体でも良い。
【００３５】
（Ｆ）固定機構について
固定機構６は、左フレーム枠１１の下底部付近に片持ち状に軸支して揺動する係止レバー６１と、可動役物３に取り付けた支持板３１の下端縁部付近に矩形状に開口して形成した係合口３３と、から構成される。
【００３６】
係止レバー６１は、略鍵状を成し、正面視左側に張り出した引っ掛け部６１ａと、ここから先端に向かって斜め上方に延びる直線状の摺接部６１ｂ（接触して摺動する部分）と、上端側において正面視奥側に向かって延びる円柱状のポスト部６１ｃを形成して構成する。係止レバー６１は、略垂直に立設した状態を初期状態とし、この状態に復帰する付勢力（左回転力）を付加して軸支されている。また、係止レバー６１の取り付け位置は、正面視で軸支点（揺動中心点）が前記可動役物３の下降位置より右側であって、かつ搬送手段４の下降位置の左側となる右フレーム枠１２の位置に設定している。
【００３７】
一方、上記係合口３３は、上記構成の係止レバー６１の引っ掛け部６１ａが挿入して係合し得る開口形状を成している。係止レバー６１は、可動役物３の最降下点（又は下規定位置）の到達位置において、その引っ掛け部６１ａが係合口３３の下辺縁部３３ａに接触して係合すると共に、付勢によって初期状態（垂直立設状態）に復帰している。
【００３８】
（Ｇ）解除機構について
さらに、搬送手段４には、解除機構５を構成する正面手前側の位置に連続した突条リブ４７を形成している。この突条リブ４７は、正面視で左下方に傾斜した略直線峰状を呈している。かかる形状の突条リブ４７は、固定機構６の係止レバー６１のポスト部６１ｃと連係して解除機構を構成している。解除機構と固定機構６とは、互いに連係して作動することにより搬送手段４と可動役物３との連結も行っている。
【００３９】
［本実施例の作動］
次に、上記のように構成した本実施例Ｍの作動行程を、図６〜図１４として示した模式図等に基づき説明する。
【００４０】
（ア）可動役物３の移動
可動役物機３の移動は、以下の行程による。
先ず、搬送手段４の押上レバー４４と抑えレバー４５の挟持把持力により支持板３１に配置された解放機構５の倣いレバー５１を把持する。この把持により支持板３１に片持ち状に支持された可動役物３と搬送手段４が連結状態となる。この状態でモータ４３を起動させて支持シャフト４１を適宜に正逆選択して軸回転させると、これに螺合環装した搬送手段４及び支持板３１を介して連結した可動役物３とが、上昇又は下降移動する。なお、この昇降移動の行程は、スライドレール１３によって規定されている（図６）。
【００４１】
搬送手段４の上昇移動において、支持板３１に取り付けられた倣いレバー５１に付属した突起ローラ５２は、対面する主ガイド溝２１の内部に進入して溝内を倣い移動して行く。そして、上端部付近では、分岐ブレード２３ｂを押し退けてさらに上方へ移動して行くこととなる（図７）。
【００４２】
なお、突起ローラ５２が分岐ブレード２３ｂを完全に押し退けない位置では（図６）、モータ４３の正逆転を適宜に選択制御することによって可動役物３を上下振動や上下ストローク移動など趣向的な動きをさせることができる。
【００４３】
（イ）搬送手段４からの可動役物３の解放
次に、搬送手段４を上規定位置（上端部）まで移動させると、突起ローラ５２が分岐ブレード２３ｂを押し退けて完全に通過する。すると、分岐ブレード２３ｂは、付勢力により初期状態（主ガイド溝２１を閉じた状態）に復帰する。この時点で、モータ４３を逆転させて搬送手段４を若干距離だけ降下させると、突起ローラ５２が分岐ブレード２３ｂの傾斜面（正面視右下がり傾斜）を摺動して副ガイド溝２２へと導かれる。これに連動して、倣いレバー５１は正面視で右側へ回転する結果、その挟持部５１ｂは搬送手段４の押上レバー４４と抑えレバー４５との挟持から外れることとなる。これにより可動役物３は、搬送手段４との連結状態から解放されることとなる（図４（Ｂ）、図８）。
【００４４】
（ウ）可動役物３の落下
可動役物３は、搬送手段４との連結状態から解放されると、自重によって落下する。この過程では、支持板３１に取り付けられている倣いレバー５１の突起ローラ５２は、副ガイド溝２２に沿ってその内部を移動することとなる。そして、突起ローラ５２は副ガイド溝２２の下端部まで移動してきたところで、合流溝２４に導かれて付勢力をもって閉じられていた合流ブレード２４ｂを押し退けて主ガイド溝２１の下端部まで移動して行き、倣いレバー５１の下端部５１ａが緩衝体１５に当接して可動役物３が停止することとなる（図９、図１０）。
【００４５】
（エ）可動役物３の固定
可動役物３は、下端位置（下規定位置）まで落下すると、これを支持する支持板３１に固定機構６が作用して保持固定することとなる。
【００４６】
これは、支持板３１に形成した係合口３３へ、鍵状の係止レバー６１の引っ掛け部６１ａを係合させることによって実現している。具体的には、落下移動により下規定位置へ到達する行程において、支持板３１の下端部が係止レバー６１の摺接部６１ｂに摺動しながら下降移動し、その移動力が片持ち状態の係止レバー６１を正面視右側（右フレーム枠側）に回動させる。そして、さらに下降移動すると前記支持板３１の下端部が係止レバー６１の引っ掛け部６１ａを乗り越え、引っ掛け部６１ａが係合口３３の下辺縁部３３ａに係合することとなる。これにより、緩衝体１５への当接による可動役物３の弾みや揺れが抑止されて固定静止される（図１２、図１４）。
【００４７】
（オ）可動役物３の固定解除
上記ウ）〜エ）の状態においては、連結状態が解放された搬送手段４が、支持シャフト４１の上端位置に残留した状態にある。ここで、モータ４３を上昇時と逆の回転をさせると、支持シャフト４１に螺合環装した搬送手段４は下降移動する。そして、係合口３３と係合している係止レバー６１のポスト部６１ｃに前記搬送手段４の突条リブ４７を当接させた後にさらに下方向に摺動すると、その摺動圧により係止レバー６１は正面視右側に回転する。この回転により、係止レバー６１は係合口３３から外れ、可動役物３との固定状態が解除されることとなる（図１３、図１４）。
【００４８】
（カ）可動役物３の上昇
次に、上記解除とほぼ同時に可動役物３に一体化した支持板３１と搬送手段４が連結状態となる。すなわち、搬送手段４の降下に従って、支持板３１に付属した倣いレバー５１の挟持部５１ｂが、搬送手段４に付属した付勢軸支の押上レバー４４の先端部の下部に接触して乗り越え、離隔対向して付勢配置した抑えレバー４５との挟持力によって把持される結果、連結状態となるからである（図１１）。この状態において、支持シャフト４１を軸回転（下降時と逆回転）させると搬送手段４は可動役物３を伴って上昇移動することとなる。
【００４９】
［他の実施例］
以上、本発明の実施における固定機構６の構成には、上記構成に限定するものではなく、同様の機能を実現することができる以下の構成としても良い。
例えば、図１５に示したように、支持板３１の支持板３１の下端縁部から上位位置に滑動回転するロータ体７を配設し、このロータ体７が前記構成の係止レバー６１の引っ掛け部６１ａを乗り越えることによって係止レバー６１を作動（回動）させるようにしても良い。
【００５０】
また、立設状態を初期状態とする係止レバー６１の付勢復帰力を増せば、ローラ体７と前記係止レバー６１との摺動摩擦によるブレーキ作用が働いて、可動役物３のスムーズな減速と停止が実現できることとなる。
【符号の説明】
【００５１】
Ｍ  本実施例
１  フレーム
１１  左フレーム枠
１２  右フレーム枠 
１３  スライドレール 
１４  摺動コマ
１５  緩衝体
１６  検知センサ
１７  摺動溝
２  ガイド構成体
２１  主ガイド溝
２２  副ガイド溝
２３  分岐溝
２３ｂ  分岐ブレード
２４  合流溝
２４ｂ  合流ブレード
３  可動役物
３１  支持板
３２  作動板
３３  係合口
３３ａ  下辺縁部
３４  検知片
３５  切欠き部
４  搬送手段
４１  支持シャフト
４２  ギア
４３  モータ
４４  押上レバー
４５  抑えレバー
４６  摺動突片
４７  突条リブ
５  解放機構
５１  倣いレバー
５１ａ  下端部
５１ｂ  挟持部
５２  突起ローラ
６  固定機構
６１  係止レバー
６１ａ  引っ掛け部
６１ｂ  摺接部
６１ｃ  ポスト部
７  ローラ体
【図１】
2020174774.tif 000003
【図２】
2020174774.tif 000004
【図３】
2020174774.tif 000005
【図４】
2020174774.tif 000006
【図５】
2020174774.tif 000007
【図６】
2020174774.tif 000008
【図７】
2020174774.tif 000009
【図８】
2020174774.tif 000010
【図９】
2020174774.tif 000011
【図１０】
2020174774.tif 000012
【図１１】
2020174774.tif 000013
【図１２】
2020174774.tif 000014
【図１３】
2020174774.tif 000015
【図１４】
2020174774.tif 000016
【図１５】
2020174774.tif 000017